(57)【特許請求の範囲】
【請求項１】
磁石を使用した不正行為を防止する遊技機における不正防止装置であって、
該不正防止装置は、磁石の磁力により吸引されて作動する磁性材で形成されたストッパー片を備えて前記遊技機の遊技盤または入賞装置の所定位置に該入賞装置の入賞口に対応するように設けられ、
該ストッパー片は、前記不正行為が行われていないときは前記入賞口への遊技球の入賞を許容し、一方前記不正行為が行われたときは前記入賞口の入賞径路に突出して、該入賞口への遊技球の入賞を阻止し、
前記不正防止装置は、前記不正行為が行われていないときは前記ストッパー片と係合して該ストッパー片の前記入賞径路への突出を阻止する弾性部材で形成された阻止部材を備え、
該阻止部材は、前記不正行為が行われたときは弾性変形して前記ストッパー片との係合を開放して、前記ストッパー片が前記入賞径路へ突出できるようにしたことを特徴とする遊技機における不正防止装置。
【請求項２】
前記不正防止装置は、前記ストッパー片と前記阻止部材とが係合している状態で、該ストッパー片を前記入賞径路へ突出する方向へ付勢する付勢部材を備えていることを特徴とする請求項１に記載の遊技機における不正防止装置。
【請求項３】
磁石を使用した不正行為を防止する遊技機における不正防止装置であって、
該不正防止装置は、磁石の磁力により吸引されて作動する磁性材で形成されたストッパー片を備えて前記遊技機の遊技盤または入賞装置の所定位置に該入賞装置の入賞口に対応するように設けられ、
該ストッパー片は、前記不正行為が行われていないときは前記入賞口への遊技球の入賞を許容し、一方前記不正行為が行われたときは前記入賞口の入賞径路に突出して、該入賞口への遊技球の入賞を阻止し、
前記ストッパー片は、複数のロッドがそれぞれピンにより回動自在に連結されたリンク機構で構成され、該ストッパー片は、磁石の磁力により吸引されて前方に移動する磁性材で形成された前ロッドと、該前ロッドの移動と同時に後方に移動する後ロッドとを少なくとも備え、
前記不正防止装置は、前記不正行為が行われたときは、該前ロッドまたは後ロッドの何れかを前記入賞径路に突出させるようにしたことを特徴とする遊技機における不正防止装置。
【発明の詳細な説明】
【技術分野】
【０００１】
本発明は、磁石などの磁気を利用した不正行為を防止する遊技機における不正防止装置に関する。
【背景技術】
【０００２】
従来より、パチンコ機などの遊技機では、遊技盤上を落下するパチンコ玉を磁石により入賞装置の入賞口へ誘導して賞球を得る不正行為が行われている。特に、最近では、通称デカ玉といわれる正規のサイズ（直径１１ミリ）より若干大きいパチンコ玉（正規のサイズより０．４ミリ程度大きい）を用い、このデカ玉を磁石により入賞口へ誘導して入賞させ、その後電磁波を大当り遊技中などに照射して多量のパチンコ玉を得るという不正行為が頻繁に発生している。
【０００３】
この不正行為は、遊技盤に配置された各入賞装置の入賞口から入賞したパチンコ玉を検出し、その検出したパチンコ玉の数だけ賞球を払い出すためのカウントセンサ（近接スイッチ）を利用して実行されるようになっている。具体的には、各入賞装置には、上記カウントセンサがそれぞれ設けられており、この不正行為は、デカ玉を磁石により所望の入賞装置（賞球数の最も多い入賞装置が特に有効）の入賞口へ入賞させてカウントセンサにデカ玉を停留させ、その後大当り遊技中などに電磁波を照射することで多量のパチンコ玉を不正に得るようにしている。
【０００４】
カウントセンサは、正規サイズのパチンコ玉より若干大きい円孔（直径１１．２ミリ程度）が形成されており、この円孔にパチンコ玉を通過させて磁気の変化を検出することで、即ち出力トランジスタがオンオフすることでパチンコ玉を検出するように構成されている。従って、デカ玉を磁石により所望の入賞装置の入賞口へ誘導して入賞させると、その入賞装置に設けられたカウントセンサの円孔にデカ玉が引っかかって停留することになり、その後、カウントセンサにデカ玉が停留している入賞装置をめがけて電磁波が照射されると、カウントセンサの出力トランジスタがオンオフを繰り返す誤動作が生じ、その結果多量のパチンコ玉が払い出され不正取得されてしまうのである。つまり悪意の遊技者は、このように磁石を使用して一旦デカ玉を所望の入賞装置のカウントセンサに停留させておけば、後は好きな時に電磁波を該入賞装置に照射するだけで、不正に多量のパチンコ玉を容易に獲得することができてしまうのである。
【０００５】
そこで、特許文献１に開示されているような磁石が使用されたことを検出する磁気センサをパチンコ機の遊技盤に取り付けたり、或いは特許文献２に開示されているような電磁波が照射されたことを検出する電磁波センサをパチンコ機の遊技盤に取り付けたりして、このような不正行為を防止することが考えられる。
【先行技術文献】
【特許文献】
【０００６】
【特許文献１】特開平５−２１２１５２号公報
【特許文献２】特開平１１−２６７３３４号公報
【発明の概要】
【発明が解決しようとする課題】
【０００７】
しかしながら、通常の磁気センサを単独で設けるとその検出範囲には限界があり、その結果磁石の使用を正確に検出できないおそれがあり、また、その対策として複数の磁気センサを設けたり、高感度磁気センサを設けることで対処すると、コストが嵩むという問題点がある。さらに、磁気センサは、遊技機器によく使用されるソレノイドなどの電磁機器の駆動で誤動作するおそれもある。
【０００８】
また、電磁波センサは周波数帯域が限定されたものが一般的で、周波数によっては不正な電磁波が検出できない場合があり、特にギガヘルツといった高周波帯域では、電磁波の直進性が強くなり、電磁波センサの取付箇所によっては不正電磁波を検出できないという問題点がある。加えて、遊技機や他の機器、例えば携帯電話などの機器から発せられる正常な電磁波と不正を行うために発せられた電磁波を識別することは難しく、正常な電磁波を不正な電磁波としてしまう誤検出のおそれもある。
【０００９】
さらに、磁気センサや電磁波センサを設けてこのような不正行為に対処する手法では、不正が行われて被害が発生した後の対策、つまり事後対策になってしまい、不正行為による被害を事前に防止することが困難である。
【００１０】
本発明は、上記したような問題点を解決するためになされたもので、その目的とするところは、磁気センサや電磁波センサを用いることなく、パチンコ玉を磁石により入賞装置の入賞口へ誘導して賞球を得る不正行為を簡単な構成で確実に防止することのできる遊技機における不正防止装置を提供することにある。
【課題を解決するための手段】
【００１１】
このような問題を解決するために、本発明の遊技機における不正防止装置は、請求項１に記載したように、磁石を使用した不正行為を防止する遊技機における不正防止装置であって、該不正防止装置は、磁石の磁力により吸引されて作動する磁性材で形成されたストッパー片を備えて前記遊技機の遊技盤または入賞装置の所定位置に該入賞装置の入賞口に対応するように設けられ、該ストッパー片は、前記不正行為が行われていないときは前記入賞口への遊技球の入賞を許容し、一方前記不正行為が行われたときは前記入賞口の入賞径路に突出して、該入賞口への遊技球の入賞を阻止し、前記不正防止装置は、前記不正行為が行われていないときは前記ストッパー片と係合して該ストッパー片の前記入賞径路への突出を阻止する弾性部材で形成された阻止部材を備え、該阻止部材は、前記不正行為が行われたときは弾性変形して前記ストッパー片との係合を開放して、前記ストッパー片が前記入賞径路へ突出できるようにしたことを特徴とする。
【００１２】
また、請求項２に記載の遊技機における不正防止装置は、請求項１に記載の遊技機における不正防止装置において、前記不正防止装置は、前記ストッパー片と前記阻止部材とが係合している状態で、該ストッパー片を前記入賞径路へ突出する方向へ付勢する付勢部材を備えていることを特徴とする。
【００１３】
また、請求項３に記載の遊技機における不正防止装置は、磁石を使用した不正行為を防止する遊技機における不正防止装置であって、該不正防止装置は、磁石の磁力により吸引されて作動する磁性材で形成されたストッパー片を備えて前記遊技機の遊技盤または入賞装置の所定位置に該入賞装置の入賞口に対応するように設けられ、該ストッパー片は、前記不正行為が行われていないときは前記入賞口への遊技球の入賞を許容し、一方前記不正行為が行われたときは前記入賞口の入賞径路に突出して、該入賞口への遊技球の入賞を阻止し、前記ストッパー片は、複数のロッドがそれぞれピンにより回動自在に連結されたリンク機構で構成され、該ストッパー片は、磁石の磁力により吸引されて前方に移動する磁性材で形成された前ロッドと、該前ロッドの移動と同時に後方に移動する後ロッドとを少なくとも備え、前記不正防止装置は、前記不正行為が行われたときは、該前ロッドまたは後ロッドの何れかを前記入賞径路に突出させるようにしたことを特徴とする。
【発明の効果】
【００１４】
請求項１の発明に係わる遊技機における不正防止装置は、悪意の遊技者によって遊技盤上を落下する遊技球を磁石の磁力により誘導して所望の入賞装置、例えば規定賞球数の多い入賞口へ入賞させる遊技機における不正行為を防止する装置であって、遊技機としては、パチンコ機やアレパチ、雀球など、パチンコ球と同様な磁石の磁力による誘導ができる遊技媒体を使用する遊技機が挙げられる。
【００１５】
この不正防止装置は、磁石の磁力により吸引されて作動する磁性材、例えば金属などで形成されたストッパー片を備えて遊技盤または入賞装置の所定位置に入賞口に対応するように設けられている。
【００１６】
そして、このように遊技機に設けられた不正防止装置は、磁石による不正行為が行われていないとき、つまり通常の遊技状態のときはストッパー片は作動することなく入賞口への遊技球の入賞を許容し、一方不正行為が行われたときはストッパー片は磁石の磁力により吸引されて作動し、入賞口の入賞径路に突出して狙われた入賞口への遊技球の入賞を阻止する。
【００１７】
ここで、入賞口の入賞径路に突出して該入賞口への遊技球の入賞を阻止するとは、次のような意味である。即ち、入賞口は遊技球が入賞装置に入球するための入口であって、入賞口から入賞装置に入球した遊技球は、入賞装置に対応して設けられている入賞球検出手段（カウントセンサ）に検出されて初めて入賞球として扱われる。従って、入賞口への遊技球の入賞を阻止するとは、遊技球が入賞口へ入球すること自体を阻止することは勿論のこと、さらに入賞口から入賞装置に入球した遊技球がこの入賞球検出手段に検出されないようにすることも含まれる。そして、本発明の不正防止装置は、磁石による不正行為が行われたときに入賞口の入賞径路に突出して該入賞口への遊技球の入賞を阻止するのであるが、ここでの入賞口の入賞径路とは、入賞口上方の遊技球が確実に該入賞口に入球する地点から、入賞口下方の遊技球が入賞球検出手段に到達する直前までの地点を言う。従って、ストッパー片が突出する入賞径路の位置は、この両地点の間であれば何処であってもよい。
【００１８】
なお、遊技機の遊技盤上には、入賞装置以外にも通過装置（ゲートともいう）と呼ばれる装置が設けられることがあり、この通過装置が入賞装置と違う点は、遊技球が入賞口から入賞装置に入賞すると遊技者に賞球が支払われるが、遊技球が通過口から通過装置を通過しても、それだけでは賞球は支払われない点である。ただし通過装置は、遊技球が通過すると例えば図柄表示装置を変動表示させて抽選を行い、確定表示された図柄が予め定められた図柄である場合には当りとなり、所定の電動チューリップ（入賞装置）の羽根を所定時間開放させて遊技球を入賞し易くさせて、最終的に遊技者に賞球を払い出すというような使用方法が一般的であり、即ち入賞装置と通過装置は、遊技者にとって利益を発生させる点では共通している。従って、本発明では、不正防止装置は入賞装置の入賞口に対応するように設けるようにしたが、これは通過装置の通過口に対応するように設けるようにしてもよい。この場合には、請求項１に記載された「入賞」という文言を、「通過」という文言に置き換えて読むこととし、以下の請求項２乃至請求項３においても同様とする。
【００１９】
このような構成の請求項１の発明によれば、遊技盤上を落下する遊技球を磁石により所望の入賞装置の入賞口へ誘導して賞球を得る遊技機への不正行為に対し、磁気センサなどを用いることなく極めて容易な構成で、入賞装置の入賞口への遊技球の入賞を阻止してこのような不正行為による被害を事前に防止することが可能となる。その結果、最近、頻発している通称デカ玉を入賞装置の入賞球検出手段に詰まらせ、その後大当り遊技中などに電磁波を照射することで多量の賞球を得る不正行為も併せて防止することが可能となり、従って電磁波センサを設ける必要もなくなる。即ち、本発明の遊技機における不正防止装置は、磁気センサや電磁波センサを用いることなく、遊技球を磁石により入賞装置の入賞口へ誘導して賞球を得る不正行為を極めて安価且つ簡単な構成で確実に防止することができるという優れた効果を奏する。
【００２０】
また、請求項１に記載の発明では、不正防止装置は、磁石による不正行為が行われていないときはストッパー片と係合して該ストッパー片の入賞径路への突出を阻止する弾性部材、例えばゴムなどで形成された阻止部材を備えており、この阻止部材が、不正行為が行われたとき、即ち磁石がストッパー片に近づいたとき、ストッパー片が磁石の磁力により吸引されることにより発生するストッパー片の押圧力により弾性変形してストッパー片との係合を開放して、ストッパー片が入賞径路へ突出できるようにする。
【００２１】
なお、阻止部材の材質は、不正行為に使用される磁石の磁力により適宜選択することが好ましく、少なくとも不正行為が行うことのできる最低限の磁力によっても弾性変形してストッパー片との係合を開放できるものがよい。
【００２２】
このような構成の請求項１の発明によれば、磁石による不正行為が行われていない通常の遊技状態のときに、誤ってストッパー片を入賞径路に突出させることを防止でき、一方磁石による不正行為が行われたときは、確実にストッパー片を入賞径路に突出させ、このような磁石による不正行為を防止することが可能となる。
【００２３】
また、請求項２に記載の発明は、請求項１に記載の遊技機における不正防止装置において、不正防止装置はバネなどの付勢部材を備えており、この付勢部材の付勢力により、ストッパー片と阻止部材とが係合している状態で該ストッパー片を入賞径路へ突出する方向へ付勢する。
【００２４】
なお、付勢部材の付勢力は、磁石による不正行為が行われていないときに上記した阻止部材が弾性変形してストッパー片との係合を開放できないように設定しなければならず、少なくとも不正行為が行うことのできる最低限の磁力よりも小さくしなければならない。
【００２５】
このような構成の請求項２の発明によれば、不正行為に使用される磁石の磁力が弱くても確実にストッパー片を入賞径路に突出させて、このような磁石による不正行為を防止することが可能となる。
【００２６】
また、請求項３に記載の発明では、不正防止装置において、ストッパー片を、複数のロッドがそれぞれピンにより回動自在に連結されたリンク機構で構成し、このリンク機構で構成されたストッパー片は、少なくとも磁石の磁力により吸引されて前方に移動する磁性材で形成された前ロッドと、この前ロッドの移動と同時に後方に移動する後ロッドとを備えている。そして、このようなリンク機構で構成されたストッパー片を備える不正防止装置は、磁石による不正行為が行われたとき、前ロッドまたは後ロッドの何れか一方を入賞径路に突出させて、この磁石による不正行為を防止する。
【００２７】
このような構成の請求項３の発明によれば、不正防止装置をリンク機構を用いてコンパクトに形成できるようになり、その結果不正防止装置の取り付けが場所を取らず容易になると共に、磁石の磁力が弱い場合であっても前ロッドが確実に磁石に吸引され、ストッパー片を入賞径路に突出させて磁石による不正行為を防止することができる。さらに、前ロッド以外のロッドは磁性材で形成する必要がなく、その結果ロッドを形成する材料の選択対象が増え、且つコンパクトに形成できることと相俟ってコストダウンがはかれる。
【図面の簡単な説明】
【００２８】
【図１】本実施形態に係わる遊技機１の全体正面図である。
【図２】本実施形態に係わる遊技盤２１の全体正面図である。
【図３】本実施形態に係わる不正防止装置３０の右斜め上方から視た全体斜視図である。
【図４】本実施形態に係わる筐体４１の上部及び手前（右側）の側板４６を削除した状態を示す不正防止装置３０の右斜め上方から視た斜視図である。
【図５】本実施形態に係わる筐体４１の手前の側板４６を削除した状態を示す不正防止装置３０の右側面断面図である。
【図６】本実施形態に係わる筐体４１の天井板４７を削除した状態を示す不正防止装置３０の平面断面図である。
【図７】本実施形態に係わる不正防止装置３０が遊技盤２１に取り付けられた状態を示す遊技機１の部分断面図である。
【図８】本実施形態に係わる磁石７０による不正行為が行われたときのパチンコ玉Ｐ１と不正防止装置３０の状態を示す遊技機１の部分断面図である。
【図９】本実施形態に係わるストッパー片４０と不正警報ランプ３１との関係を示す回路図であって、（Ａ）は、磁石７０による不正行為が行われていない通常の状態を示す回路図であり、（Ｂ）は、磁石７０による不正行為が行われたときの状態を示す回路図である。
【図１０】他の実施形態１に係わる不正防止装置８０の右斜め上方から視た全体斜視図である。
【図１１】他の実施形態１に係わるストッパー片８４（突出部８４ａ）が突出した状態の不正防止装置８０の右斜め上方から視た全体斜視図である。
【図１２】他の実施形態１に係わる不正防止装置８０が遊技盤２１に取り付けられた状態を示す遊技機１の部分断面図である。
【図１３】他の実施形態１に係わる磁石７０による不正行為が行われたときのパチンコ玉Ｐ１と不正防止装置８０の状態を示す遊技機１の部分断面図である。
【図１４】他の実施形態１の変形例に係わる不正防止装置８０が取り付けられた普通入賞装置１４ａの正面図である。
【図１５】他の実施形態１の変形例に係わる不正防止装置８０が遊技盤２１に取り付けられた状態を示す遊技機１の部分断面図である。
【図１６】他の実施形態２に係わる不正防止装置９０が取り付けられた普通入賞装置１４ａの正面図である。
【図１７】他の実施形態２に係わる不正防止装置９０が遊技盤２１に取り付けられた状態を示す遊技機１の部分断面図である。
【図１８】他の実施形態２に係わる磁石７０による不正行為が行われたときのパチンコ玉Ｐ１と不正防止装置９０の状態を示す遊技機１の部分断面図である。
【図１９】他の実施形態２に係わる不正防止装置９０のストッパー片９７の説明図であって、（Ａ）は、磁石７０による不正行為が行われていない通常の状態を示すストッパー片９７の側面図であり、（Ｂ）は、磁石７０による不正行為が行われたときの状態を示すストッパー片９７の側面図である。
【発明を実施するための形態】
【００２９】
以下に、本発明の実施の形態を図を用いて説明する。
図１は、パチンコ機としての遊技機１の全体正面図である。本実施形態の遊技機１は、図１に示すように、図示しない遊技島に固定される外枠２２と、この外枠２２に開閉自在に取り付けられた内枠２３とから構成されており、内枠２３には、遊技者にパチンコ遊技を提供する遊技盤２１と、遊技者が操作することにより打球発射装置を作動させる打球操作ハンドル２と、打球発射装置によって打ち出された遊技球を誘導する打球誘導レール３と、打ち出された遊技球が一定範囲内で飛球するよう設けられた遊技領域形成レール４と、打球誘導レール３及び遊技領域形成レール４によって囲われた遊技領域５と、遊技領域形成レール４の先端に取り付けられ遊技領域５に打ち出された遊技球が打球誘導レール３と遊技領域形成レール４の間の発射径路に後戻りするのを防止する戻り球防止弁２４と、遊技領域５に打ち出された遊技球を不測の方向へ変化を与える風車２０と、特別図柄が回転する様子を示す擬似的な表示（以下、スクロール表示ともいう）を行う液晶表示ディスプレイ（ＬＣＤ、Liquid Crystal Display）などで構成された特別図柄表示装置６と、遊技球が入賞することによって特別図柄表示装置６に特別図柄のスクロール表示を開始させる始動入賞装置（電動チューリップ）１１と、特別図柄表示装置６が特別図柄のスクロール表示中に遊技球が始動入賞装置１１へ入賞した場合に、当該スクロール表示が終了した後に、あと何回変動表示するか（通常最高４回）を遊技者に報知するための保留記憶の点灯表示を順次行う４つの保留ＬＥＤ（Light Emitting Diode）２５と、特別図柄表示装置６の画像表示部において３つの特別図柄をそれぞれ個別に表示する左図柄表示部８、中図柄表示部９、右図柄表示部１０と、特別図柄表示装置６における表示結果が予め定められた態様（大当り）になった場合、遊技者に有利に開口される大入賞装置（アタッカ）７と、遊技球を打球発射装置に供給するための打球供給皿１２と、打球供給皿１２に入りきらない球を貯留することができると共に、図示しない貯留球箱に遊技球を移動できるようになっている余剰球受皿１３と、入賞することによって賞球が払い出される普通入賞装置１４ａ、１４ｂと、入賞に対する賞球の払い出しや球詰まり、異常などを報知したり、遊技状態が所定の状態（例えば大当り）になったときに点滅等して演出効果を高める遊技効果ランプ１５と、遊技領域５の最下部に設けられた遊技球を回収するアウト口１６と、内枠２３に開閉自在に設けられたガラス扉枠１７と、ガラス扉枠１７に上方から着脱自在に嵌め込まれた２枚のガラス板２７と、一桁の普通図柄を表示し、その普通図柄が予め定められた普通図柄（当り）である場合、始動入賞装置１１としての電動チューリップの羽根を開放する７セグメントＬＥＤなどで構成された普通図柄表示装置１８と、遊技球が通過することによって普通図柄表示装置１８に普通図柄の変動表示を開始させる普通図柄作動ゲート１９と、普通図柄表示装置１８が普通図柄の変動表示中に遊技球が普通図柄作動ゲート１９を通過した場合に、当該変動表示が終了した後に、あと何回変動表示するか（通常最高４回）を遊技者に報知するための保留記憶の点灯表示を順次行う４つの保留ＬＥＤ２６などとによって構成されている。
【００３０】
さらに、遊技機１の遊技盤２１には、図２に示すように、各入賞口、即ち４つの普通入賞装置１４ａ、１４ｂの入賞口と始動入賞装置１１の入賞口の上部に磁石の使用によって作動する不正防止装置３０と、この不正防止装置３０が作動したときに点灯する不正警報ランプ３１とが設けられている。この本発明の要部となる不正防止装置３０及び不正警報ランプ３１については、後に詳述する。また、普通入賞装置１４ａ、１４ｂと始動入賞装置１１には、それぞれ入賞した遊技球を検出し、その検出した遊技球の数だけ賞球を払い出すためのカウントセンサ（近接スイッチ）６０が、各入賞装置の下方であって遊技盤２１の裏面側にそれぞれ設けられている。このカウントセンサ６０は、図示していないが、正規サイズのパチンコ玉（直径１１ミリ）より若干大きい円孔（直径１１．２ミリ程度）が形成されており、この円孔に入賞したパチンコ玉を通過させて磁気の変化を検出することで、即ち出力トランジスタがオンオフすることでパチンコ玉を検出するように構成されている。なお、図２は、遊技盤２１の全体正面図である。
【００３１】
このように構成される遊技機１は、まず、遊技者の打球操作ハンドル２の操作により、打球発射装置から遊技球が発射され、打球誘導レール３と遊技領域形成レール４の間を通って遊技球が遊技盤２１上の遊技領域５に打ち出される。そして、遊技球は遊技領域５を自重により落下し、落下する過程においては、遊技盤２１に植設される図示しない遊技釘や風車２０によって落下する方向に変化を与えられ、始動入賞装置１１や普通入賞装置１４ａ、１４ｂに入賞したり、普通図柄作動ゲート１９を通過したり、全ての入賞装置に入賞しなかった場合には、アウト口１６に回収されるようになっている。
【００３２】
遊技球が始動入賞装置１１に入賞した場合には、カウントセンサ６０で検出されて所定の賞球（例えば５個）を遊技者に与えると共に、特別図柄表示装置６の各図柄表示部８、９、１０に特別図柄をスクロール表示させ、所定時間後に左図柄表示部８、右図柄表示部１０、中図柄表示部９の順に特別図柄を停止させて抽選するスロットゲームを行い、左図柄表示部８の特別図柄と右図柄表示部１０の特別図柄とが停止した時点で大当りを構成する特別図柄の組合せ（例えば、左図柄表示部８の特別図柄と右図柄表示部１０の特別図柄とが同一の特別図柄の組合せ）である場合にはリーチとなり、特別図柄表示装置６にて所定のリーチアクションが表示されるようになっており、その後中図柄表示部９の特別図柄が停止した時点で確定表示された特別図柄が予め定められた特別図柄の組合せである場合には大当りとなり、大入賞装置７としてのアタッカを所定の態様で開放するようになっており、これら以外の特別図柄の組合せである場合には、はずれとなる。なお、大当りになる特別図柄の組合せには、次回の大当りが発生するまで大当りになる確率が上昇する高確率状態（所謂確率変動状態）になるものが含まれている。
【００３３】
また、遊技球が普通入賞装置１４ａ、１４ｂに入賞した場合には、入賞した遊技球がカウントセンサ６０で検出されて所定の賞球（例えば１５個）が遊技者に与えられる。また、遊技球が普通図柄作動ゲート１９を通過した場合には、普通図柄表示装置１８に普通図柄を変動表示させて抽選を行い、確定表示された普通図柄が予め定められた普通図柄である場合には当りとなり、始動入賞装置（電動チューリップ）１１の羽根を所定時間開放するようなっている。このように構成された遊技機１で、遊技者はパチンコ遊技を楽しむようになっている。
【００３４】
ところで、遊技者の中には、磁石を用いて遊技盤２１上を落下するパチンコ玉を所望の入賞装置、例えば賞球数の多い普通入賞装置１４ａ、１４ｂへ誘導して入賞口から入賞させ、不正に賞球を得る悪意の遊技者がいる。特に最近では、通称デカ玉といわれる正規のサイズより若干大きいパチンコ玉（正規のサイズより０．４ミリ程度大きい）を用い、このデカ玉を遊技盤２１上の遊技領域５に打ち出し、遊技領域５に打ち出されたデカ玉を磁石により普通入賞装置１４ａ、１４ｂの入賞口へ誘導し入賞させてカウントセンサ６０に停留させ、その後大当り遊技中などにデカ玉が停留している普通入賞装置１４ａ、１４ｂ（カウントセンサ６０）に向かって電磁波を照射することで、カウントセンサ６０の出力トランジスタがオンオフを繰り返す誤動作を生じせしめて多量のパチンコ玉を得るという不正行為が頻繁に発生している。
【００３５】
そこで、本発明に係わる遊技機１には、磁石を用いて普通入賞装置１４ａ、１４ｂや始動入賞装置１１にパチンコ玉を入賞させる不正行為を防止するための不正防止装置３０が、普通入賞装置１４ａ、１４ｂ及び始動入賞装置１１に対応して設けられており、以下、この不正防止装置３０について詳細に説明する。
【００３６】
まず、図３乃至図６を参照しながら不正防止装置３０の構成について説明する。図３は、不正防止装置３０の右斜め上方から視た全体斜視図であり、図４は、筐体４１の上部及び手前（右側）の側板４６を削除した状態を示す不正防止装置３０の右斜め上方から視た斜視図であり、図５は、筐体４１の手前の側板４６を削除した状態を示す不正防止装置３０の右側面断面図であり、図６は、筐体４１の天井板４７を削除した状態を示す不正防止装置３０の平面断面図である。
【００３７】
これら図３乃至図６に示すように、不正防止装置３０は、大別するとストッパー片４０と筐体４１とから構成されている。ストッパー片４０は、磁石の磁力により吸引される金属などの磁性材で形成されており、悪意の遊技者が磁石を用いて遊技盤２１上を落下するパチンコ玉を入賞装置（普通入賞装置１４ａ、１４ｂ、始動入賞装置１１）に入賞させる不正行為を働いたとき、磁石の磁力により入賞装置（普通入賞装置１４ａ、１４ｂ、始動入賞装置１１）の入賞口の上方（入賞径路）に突出して、パチンコ玉の当該入賞装置への入賞を阻止する部材である。
【００３８】
ストッパー片４０は、入賞径路となる入賞口の上部に出没してパチンコ玉の入賞を阻止する水平平板状の突出部４０ａと、突出部４０ａの移動を規制する垂直平板状の移動規制部４０ｂとで構成され、突出部４０ａの後端部が移動規制部４０ｂの中央箇所に連結されて略Ｔ字状に一体的に形成されている（図４参照）。また、移動規制部４０ｂの上下端部には、一連に亘って円弧状の係止部５０、５０が形成されており、この係止部５０、５０は、後述する筐体４１の突起部５２、５２と係合して突出部４０ａの移動を規制するようになっている。
【００３９】
筐体４１は、プラスチックなどの合成樹脂で形成された前板４５、左右の側板４６、４６、天井板４７、底板４８及び後板４９で中空の略直方体状に形成されている。前板４５の中央部には、ストッパー片４０の突出部４０ａを挿通するための突出部４０ａと同形（突出部４０ａより若干大きい）の挿入孔４４が穿設されており、また前板４５の上下端の中央部には、不正防止装置３０を遊技盤２１に取り付けるための取付部４２、４２が設けられている。
【００４０】
さらに、筐体４１内部側であって、前板４５上端と天井板４７前端との接続箇所中央部及び前板４５下端と底板４８前端との接続箇所中央部には、それぞれ金属片などで形成された接点部材５３、５３が設けられており（図５、図６参照）、この接点部材５３、５３は、ストッパー片４０の突出部４０ａが入賞口の上部に突出したとき、ストッパー片４０の移動規制部４０ｂと接触して導通し、不正警報ランプ３１を点灯／点滅させるようになっている。なお、図中、４３は電線であり、この電線４３は、接点部材５３、５３と不正警報ランプ３１を電気的に導通させるため、接点部材５３、５３及び不正警報ランプ３１と接続されるようになっている。
【００４１】
また、筐体４１内部側であって、天井板４７及び底板４８の中央よりやや後板４９側寄りには略半球状の突起部５２、５２がそれぞれ突設されており、この突起部５２、５２はゴムなどの弾性部材で形成され、常時はストッパー片４０の移動規制部４０ｂと係合してストッパー片４０の突出部４０ａを動かないように固定し、一方磁石による不正行為が行われたときには、即ち磁石によりストッパー片４０に磁力が働いたときには、弾性変形してストッパー片４０の突出部４０ａが入賞口の上部に突出することを許容するようになっている。
【００４２】
このようなストッパー片４０と筐体４１とでなる不正防止装置３０は、ストッパー片４０の突出部４０ａが筐体４１の挿入孔４４に挿通され、且つストッパー片４０の移動規制部４０ｂの係止部５０、５０が筐体４１の突起部５２、５２に係合する状態で、さらにストッパー片４０の移動規制部４０ｂと筐体４１の後板４９の中央箇所同士をバネ５１で連結し、ストッパー片４０を入賞口（普通入賞装置１４ａ、１４ｂ、始動入賞装置１１）の上部に突出すべく付勢するように構成されている。従って、このように構成される不正防止装置３０は、不正行為に使用される磁石の磁力が弱くても、確実にストッパー片４０を入賞径路となる入賞口の上部に突出させて、このような不正行為を防止することが可能となる。
【００４３】
次に、図７乃至図９を参照しながら不正防止装置３０の作用について説明する。図７は、不正防止装置３０が遊技盤２１に取り付けられた状態を示す遊技機１の部分断面図であり、図８は、磁石７０による不正行為が行われたときのパチンコ玉Ｐ１と不正防止装置３０の状態を示す遊技機１の部分断面図であり、図９は、ストッパー片４０と不正警報ランプ３１との関係を示す回路図であって、（Ａ）は、磁石７０による不正行為が行われていない通常の状態を示す回路図であり、（Ｂ）は、磁石７０による不正行為が行われたときの状態を示す回路図である。
【００４４】
不正防止装置３０は、普通入賞装置１４ａの上方にストッパー片４０の突出部４０ａが遊技盤２１の前方に突出できるよう、遊技盤２１の裏面に筐体４１の取付部４２、４２を介してビス５７、５７で螺着されている。しかして、遊技盤２１には、図７及び図８に示すように、ストッパー片４０の突出部４０ａが貫通できるよう、予め突出部４０ａと同形（突出部４０ａより若干大きい）の貫通孔５４が遊技盤２１の表面から裏面に亘って穿設されている。
【００４５】
なお、この実施形態においては、不正防止装置３０は、普通入賞装置１４ａに対応して設けるようにしたが、これは普通入賞装置１４ｂや、始動入賞装置１１に対応して設けるようにしてもよい。また、図中、６１は入賞球通路であり、普通入賞装置１４ａに入賞した遊技球は、この入賞球通路６１を流下してカウントセンサ６０を通過することで検出されるようになっており、このカウントセンサ６０の検出に対して規定の賞球数が払い出されるようになっている。また、図中、２７はガラス板であり、このガラス板２７は遊技盤２１と所定間隔（内側のガラス板２７と遊技盤２１の間隔は２０ミリ程度）を設けて形成されている。
【００４６】
さて、このように不正防止装置３０が取り付けられた遊技機１に対し、悪意の遊技者が磁石７０を用いて遊技盤２１上を落下するパチンコ玉Ｐ１を普通入賞装置１４ａに入賞させる不正行為を働いたときの不正防止装置３０の作用について図８を参照しながら説明する。悪意の遊技者は、ガラス板２７越しに磁石７０を遊技盤２１上を落下するパチンコ玉Ｐ１に近づけ、狙いを付けた普通入賞装置１４ａへとパチンコ玉Ｐ１を誘導する。そして、普通入賞装置１４ａの入賞口にパチンコ玉Ｐ１が近づくと、磁石７０の磁力により不正防止装置３０の磁性材で形成されているストッパー片４０（突出部４０ａ）が、磁石７０に吸引されて遊技盤２１から前方に突出する。
【００４７】
つまり、この普通入賞装置１４ａの入賞口にパチンコ玉Ｐ１が磁石７０により近づいたときには、磁石７０の磁力とバネ５１の付勢力とでストッパー片４０の移動規制部４０ｂが筐体４１の弾性部材で形成された突起部５２、５２を押圧して弾性変形させ、移動規制部４０ｂの係止部５０、５０と突起部５２、５２との係合状態を解き放ち、その結果ストッパー片４０の突出部４０ａが普通入賞装置１４ａの入賞口を略覆うように遊技盤２１の前方に突出して、図８に示すようにパチンコ玉Ｐ１が普通入賞装置１４ａへ入賞するのを阻止するのである。
【００４８】
即ち、悪意の遊技者は、磁石７０を用いた不正行為により普通入賞装置１４ａのカウントセンサ６０にパチンコ玉Ｐ１を通過させることで賞球を得ようとするのであるが、本実施形態の不正防止装置３０は、このカウントセンサ６０より上流側の普通入賞装置１４ａの入賞径路に磁石７０の磁力によりストッパー片４０を突出させて、パチンコ玉Ｐ１がこのカウントセンサ６０に到達するのを阻止することで、このような不正行為による誤った賞球の払い出しを事前に防止するのである。
【００４９】
そして、ストッパー片４０が遊技盤２１から前方に突出したときには、ストッパー片４０の移動規制部４０ｂが筐体４１の接点部材５３、５３と接触して通電し、その結果不正警報ランプ３１が点灯／点滅して外部に磁石７０による不正行為が行われたことを報知する。つまり、図９に示すように、ストッパー片４０の移動規制部４０ｂがスイッチの役目を果たし、磁石７０による不正行為が行われていない通常の状態では移動規制部４０ｂと接点部材５３、５３とは非接触状態で回路は開いて通電しておらず、その結果不正警報ランプ３１は消灯している。一方磁石７０による不正行為が行われている状態では移動規制部４０ｂと接点部材５３、５３とは接触状態で回路は閉じて通電しており、その結果不正警報ランプ３１は点灯／点滅する。
【００５０】
従って、遊技機１の不正警報ランプ３１が点灯／点滅すると、これを発見したホールスタッフなどが不正行為が行われた遊技機１に素早く駆けつけることができるので、これにより悪意の遊技者を特定して対処することができると共に、このような不正行為を抑止することも可能となる。また、不正行為が行われた遊技機１では、不正防止装置３０のストッパー片４０が遊技盤２１から突出した状態になっているので、この状態が不正行為が行われたという証拠にもなる。
【００５１】
なお、本実施形態では、遊技機１に設けた不正警報ランプ３１にて磁石７０による不正行為を外部に報知するようにしたが、これは限定することなく、遊技機１以外の設備機器、例えば遊技機１を設置する島台側に不正警報ランプ３１を設けるようにしてもよい。或いは、不正警報ランプ３１が作動したら、それに連動して島台に設けられる呼出ランプや代表ランプ（トップランプ）などを所定の態様で点灯／点滅するようにしてもよく、さらにその旨（不正行為）が判るようホール管理コンピュータやホールスタッフのインカムなどに信号を送出するようにしてもよい。このようにすれば、さらに不正行為の防止力と抑止力を高めることができる。
【００５２】
そして、不正行為を働いた悪意の遊技者に対する措置が済んだときには、遊技盤２１から突出している不正防止装置３０のストッパー片４０をホールスタッフなどが手で遊技盤２１の後側に押圧することで、元の不正行為が行われる前のストッパー片４０が遊技盤２１から突出していない状態に戻すことができる。つまりバネ５１の付勢力に抗ってストッパー片４０の移動規制部４０ｂを押圧して筐体４１の突起部５２、５２を弾性変形させ、移動規制部４０ｂの係止部５０、５０を突起部５２、５２と係合させることで、極めて容易に遊技機１を遊技可能な正常な状態に戻すことができる。
【００５３】
以上の説明から明らかなように、本実施形態の遊技機１における不正防止装置３０は、遊技盤２１上を落下するパチンコ玉を磁石により所望の入賞装置の入賞口へ誘導して賞球を得る不正行為に対し、磁気センサを用いることなく極めて容易な構成で、入賞装置へのパチンコ玉の入賞を阻止してこのような不正行為による被害を事前に防止することが可能となる。その結果、最近、頻発している通称デカ玉を入賞装置のカウントセンサ６０に詰まらせ、その後大当り遊技中などに電磁波を照射することで多量のパチンコ玉を得る不正行為も併せて防止することが可能となり、従って電磁波センサを設ける必要もなくなる。即ち、本実施形態の遊技機１における不正防止装置３０は、磁気センサや電磁波センサを用いることなく、パチンコ玉を磁石により入賞装置の入賞口へ誘導して賞球を得る不正行為を極めて安価且つ簡単な構成で確実に防止することができるという優れた効果を奏する。
【００５４】
さらに、不正防止装置３０が作動したときに、不正行為が行われたことを報知する不正警報ランプ３１が設けられており、この不正警報ランプ３１は、スイッチの役目を果たしている不正防止装置３０のストッパー片４０（移動規制部４０ｂ）が筐体４１の接点部材５３、５３と接触して通電したとき作動するようになっているので、即ち、ストッパー片４０が不正警報ランプ３１のスイッチを兼ねているので、これにより不正防止装置３０の回路構成を簡略化でき、不正行為が行われたことを報知するためにランプなどを点灯するための装置の取り付けや配線の引き回しなどの煩わしい作業を容易にすることができる。
【００５５】
さらに、不正防止装置３０は、簡単なユニット構造で、遊技盤２１の裏面にビス５７、５７で螺着するだけの極めて簡単な作業で遊技機１に取り付けることができ、例えば、廃棄される遊技機１から取り外して他の遊技機１へリサイクルすることも容易に行うことができ、コストダウンがはかれる。
【００５６】
以上、本発明の実施形態に係わる遊技機１における不正防止装置３０を図面に基づいて説明してきたが、具体的な構成は実施形態に示したものに限定されるものではなく、本発明の要旨を逸脱しない範囲における変更や追加などがあっても本発明に含まれる。
【００５７】
例えば本実施形態では、不正防止装置３０は入賞装置の入賞口に対応するように設けたが、これは通過装置（普通図柄作動ゲート１９）の通過口に対応するように設けてもよい。入賞装置と通過装置は、遊技者にとって利益を発生させる点では共通しているので、不正防止装置３０を通過装置の通過口に対応するように設けても、入賞装置に設けたときと同様な効果を奏する。
【００５８】
次に、図を参照しながら不正防止装置３０の他の実施形態について説明する。まず、図１０乃至図１３を参照しながら他の実施形態１について説明する。図１０は、不正防止装置８０の右斜め上方から視た全体斜視図であり、図１１は、ストッパー片８４（突出部８４ａ）が突出した状態の不正防止装置８０の右斜め上方から視た全体斜視図であり、図１２は、不正防止装置８０が遊技盤２１に取り付けられた状態を示す遊技機１の部分断面図であり、図１３は、磁石７０による不正行為が行われたときのパチンコ玉Ｐ１と不正防止装置８０の状態を示す遊技機１の部分断面図である。なお、この他の実施形態１において、上述した実施形態と同様な構成については同じ符号を付し、それら構成の説明については省略する。
【００５９】
この他の実施形態１において、上述した実施形態と大きく異なる点は、簡略に言えば、磁石の磁力が弱い場合であっても確実に不正防止装置が作動するよう、不正防止装置８０を遊技盤２１の表側から取り付けるようにした点と、ストッパー片の先端の形状を大きくしたストッパー片８４とした点である。
【００６０】
図に示すように、この他の実施形態１に係わる不正防止装置８０において、ストッパー片８４は、入賞口の上部に出没してパチンコ玉の入賞を阻止する水平平板状の突出部８４ａと、この突出部８４ａの先端に、磁石の磁力が弱い場合であってもストッパー片８４が磁石に吸引されるための垂直平板状の先端部８４ｃとを備えており、この突出部８４ａと先端部８４ｃとは略Ｔ字状に一体的に形成されている。そして、突出部８４ａは、不正防止装置８０が遊技盤２１の表側から取り付けられるのに伴って、上記した実施形態の突出部４０ａより短く形成されている。つまりストッパー片８４の移動規制部４０ｂは、上記した実施形態のストッパー片４０の移動規制部４０ｂよりも遊技盤２１の表側に近く配置されることになる。
【００６１】
また、筐体４１の前板４５の表面上下部には（図１１参照）、先端部８４ｃと略同様な形状であって上記した実施形態の取付部４２、４２よりも大きな取付部８２、８２が設けられており、この取付部８２、８２を介して不正防止装置８０は遊技盤２１の表側から取り付けられるようになっている（図１２参照）。そして、取付部８２、８２の間には、ストッパー片８４の先端部８４ｃがピッタリと嵌って前板４５の表面に当接するようになっており、従って取付部８２、８２の間に先端部８４ｃが嵌合している状態では、取付部８２、８２及び先端部８４ｃで形成される面は、凹凸のない平らな面になっている。
【００６２】
このように遊技盤２１の表面上に位置する取付部８２、８２と先端部８４ｃが平らな面に形成されることで、遊技盤２１の表側から取り付けられ普通入賞装置１４ａのすぐ上に位置する不正防止装置８０によるパチンコ玉Ｐ１への影響、つまり磁石による不正行為が行われていない通常の状態で、不正防止装置８０によって普通入賞装置１４ａへのパチンコ玉Ｐ１の入賞に影響を与えることはない。
【００６３】
そして、不正防止装置８０が取り付けられた遊技機１において、図１３に示すように、悪意の遊技者がガラス板２７越しに磁石７０を遊技盤２１上を落下するパチンコ玉Ｐ１に近づけ、狙いを付けた普通入賞装置１４ａの入賞口へとパチンコ玉Ｐ１を誘導すると、磁石７０の磁力により不正防止装置８０の磁性材で形成されているストッパー片８４（突出部８４ａ、先端部８４ｃ）が、磁石７０に吸引されて遊技盤２１から前方に突出する。
【００６４】
即ち、普通入賞装置１４ａの入賞口にパチンコ玉Ｐ１が磁石７０により近づいたときには、ストッパー片８４（突出部８４ａ、先端部８４ｃ）が普通入賞装置１４ａの入賞口を略覆うように遊技盤２１の前方に突出して、図１３に示すようにパチンコ玉Ｐ１が普通入賞装置１４ａへ入賞するのを阻止するのである。即ち、磁石７０による不正行為による誤った賞球の払い出しを事前に防止するのである。
【００６５】
しかして、不正防止装置８０は遊技盤２１の表側から取り付けられているので、このように不正防止装置８０を遊技盤２１の表側から取り付けると、磁石７０とストッパー片８４の移動規制部４０ｂとの距離が短くなり、且つストッパー片８４には先端部８４ｃが設けられていることと相俟って、上記した実施形態の不正防止装置４０に比して、磁石７０の磁力が弱い場合であってもストッパー片８４が確実に磁石に吸引されるようになる。
【００６６】
なお、この他の実施形態１では、不正防止装置８０を遊技盤２１の表側から取り付けるので、遊技盤２１には、図１２及び図１３に示すように、予め不正防止装置８０の筐体４１と同形（筐体４１より若干大きい）の嵌合孔５５が遊技盤２１の表面から裏面に向かって穿設されている。この嵌合孔５５は、他の実施形態１では図に示すように筐体４１の大きさに合わせて遊技盤２１の表側から、遊技盤２１の肉厚の一部を穿設して形成するようにしたが、これは、遊技盤２１の表面から裏面に亘って貫通するように、つまり筐体４１より大きく形成するようにしてもよい。
【００６７】
次に図１４及び図１５を参照しながら他の実施形態１の変形例について説明する。図１４は、不正防止装置８０が取り付けられた普通入賞装置１４ａの正面図であり、図１５は、不正防止装置８０が遊技盤２１に取り付けられた状態を示す遊技機１の部分断面図である。なお、この他の実施形態１の変形例において、上述した実施形態及び他の実施形態１と同様な構成については同じ符号を付し、それら構成の説明については省略する。
【００６８】
この他の実施形態１の変形例において、上述した実施形態及び他の実施形態１と大きく異なる点は、簡略に言えば、不正防止装置８０の遊技盤２１への取り付けを容易にできるよう、不正防止装置８０と普通入賞装置１４ａを一体的に形成した点である。
【００６９】
この他の実施形態１の変形例において、普通入賞装置１４ａは、その入賞口の上部に不正防止装置８０を一体的に形成できるよう、通常よりも上方に延びた台座８７を備えており、特に図１５に示すように、不正防止装置８０は、この台座８７の上方に延びた箇所の裏側に取り付けられている。
【００７０】
不正防止装置８０は、台座８７の裏面に筐体４１の前板４５の表面が当接するように取り付けられており、ストッパー片８４の先端部８４ｃは、台座８７の肉厚と同じ大きさに形成され、台座８７に穿設された嵌合孔８８に嵌合するようになっている。即ち、嵌合孔８８には、ストッパー片８０の先端部８４ｃがピッタリと嵌って前板４５の表面に当接するようになっており、その結果嵌合孔８８に先端部８４ｃが嵌合している状態では、台座８７及び先端部８４ｃで形成される面は、凹凸のない平らな面になっている。従って、他の実施形態１と同様に、磁石による不正行為が行われていない通常の状態で、不正防止装置８０によって普通入賞装置１４ａへのパチンコ玉の入賞に影響を与えることはない。
【００７１】
このように構成される他の実施形態１の変形例では、普通入賞装置１４ａを遊技盤２１に取り付けるだけで不正防止装置８０も同時に遊技盤２１に取り付けられることになり、従って、わざわざ不正防止装置８０だけを普通入賞装置１４ａと別個に遊技盤２１に取り付けるという煩わしい作業をなくすことができる。即ち、不正防止装置８０を遊技盤２１に取り付けるときには、普通入賞装置１４ａとの位置関係を正確に保って遊技盤２１に取り付けなければならず、この点、普通入賞装置１４ａと不正防止装置８０とを一体的に形成したこの他の実施形態１の変形例では、このような煩わしい不正防止装置８０の遊技盤２１への取り付け作業をなくすことができる。
【００７２】
次に図１６乃至図１９を参照しながら他の実施形態２について説明する。図１６は、不正防止装置９０が取り付けられた普通入賞装置１４ａの正面図であり、図１７は、不正防止装置９０が遊技盤２１に取り付けられた状態を示す遊技機１の部分断面図であり、図１８は、磁石７０による不正行為が行われたときのパチンコ玉Ｐ１と不正防止装置９０の状態を示す遊技機１の部分断面図であり、図１９は、不正防止装置９０のストッパー片９７の説明図であって、（Ａ）は、磁石７０による不正行為が行われていない通常の状態を示すストッパー片９７の側面図であり、（Ｂ）は、磁石７０による不正行為が行われたときの状態を示すストッパー片９７の側面図である。
【００７３】
この他の実施形態２において、上述した実施形態、他の実施形態１及び他の実施形態１の変形例と大きく異なる点は、簡略に言えば、不正防止装置９０をリンク機構を用いてコンパクトに形成した点と、磁石の磁力が弱い場合であっても確実に不正防止装置が作動するよう、不正防止装置９０をガラス板２７近くに配置できるようにした点である。なお、この他の実施形態２において、上述した実施形態、他の実施形態１及び他の実施形態１の変形例と同様な構成については同じ符号を付し、それら構成の説明については省略する。
【００７４】
この他の実施形態２において、普通入賞装置１４ａは、その前板９５に不正防止装置９０を納めることができるよう、前板９５を肉厚に形成している。この前板９５には、後側が開放された中空部９４が形成されており、不正防止装置９０は、この中空部９４にリンク機構のストッパー片９７を収納することでコンパクトに構成されている（図１７、図１８参照）。
【００７５】
ここで、図１９を参照しながら、ストッパー片９７のリンク機構について説明する。ストッパー片９７は、中空部９４内において、固定ピン９３により普通入賞装置１４ａの前板９５に回動自在に軸支されている。ストッパー片９７は、５本のロッドが４つのピンにより連結されて形成されており、その連結された隣り合うロッド同士は、ピンで互いに回動自在に設けられている。また、ストッパー片９７の上方に位置する前ロッド９２ａの前端には垂直平板状の先端部９１が設けられており、この先端部９１は、磁石の磁力が弱い場合であってもストッパー片９４が磁石に吸引されるための部材である。図中、９２ｂは、ストッパー片９７の下方に位置する後ロッドであり、この後ロッド９２ｂは、磁石による不正行為が行われたときに、普通入賞装置１４ａ内の入賞径路に突出してパチンコ玉の入賞を阻止する部材である。
【００７６】
不正防止装置９０は、このようなリンク機構で構成されたストッパー片９７を普通入賞装置１４ａに一体的に取り付けて形成されているのであるが、ストッパー片９７が固定ピン９３によって普通入賞装置１４ａの前板９５に取り付けられたとき、ストッパー片９７の先端部９１は、中空部９４の前に位置する前板９５の薄板９８に穿設された嵌合孔６に嵌合するようになっている（図１６及び図１７参照）。そして、嵌合孔９６に先端部９１が嵌合している状態では、前板９５と先端部９１とで形成される面は、即ち普通入賞装置１４ａの表面は凹凸のない平らな面になっており、これにより、コンパクトな構成と相俟って、磁石による不正行為が行われていない通常の状態では、不正防止装置９０はほとんど目立たないようになっており、このため不正防止装置９０は、悪意の遊技者が不正行為を働く前に見つかることはほとんどない。
【００７７】
そして、不正防止装置９０が取り付けられた遊技機１において、図１８に示すように、悪意の遊技者がガラス板２７越しに磁石７０を遊技盤２１上を落下するパチンコ玉Ｐ１に近づけ、狙いを付けた普通入賞装置１４ａへとパチンコ玉Ｐ１を誘導すると、磁石７０の磁力により不正防止装置９０の磁性材で形成されているストッパー片９７の前ロッド９２ａ（先端部９１）が普通入賞装置１４ａの前板９５（薄板９８）から前方のガラス板２７側に移動し、それと同時に後ロッド９２ｂが後方の遊技盤２１側に移動し、この後ロッド９２ｂが普通入賞装置１４ａ内の入賞径路に突出することで、パチンコ玉Ｐ１の普通入賞装置１４ａへの入賞を阻止する。
【００７８】
このように構成される他の実施形態２に係わる不正防止装置９０は、上記した他の実施形態１の変形例と同様に、普通入賞装置１４ａを遊技盤２１に取り付けるだけで不正防止装置９０も同時に遊技盤２１に取り付けられることになる。さらに、不正防止装置９０は、普通入賞装置１４ａ表側のガラス板２７に極めて近い位置に取り付けられ、加えてその大きさも極めてコンパクトに構成されているので、上述した実施形態の不正防止装置４０や他の実施形態１の不正防止装置８０に比して、磁石７０の磁力が弱い場合であってもストッパー片９７が確実に作動するようになり、その結果、より確実にこのような磁石を用いた不正行為を防止することができる。
【００７９】
次に特許請求の範囲の構成と、本発明の実施形態との主な対応を説明する。
請求項１：遊技盤は、遊技盤２１に相当し、遊技球は、パチンコ玉Ｐ１に相当し、入賞装置は、普通入賞装置１４ａ、１４ｂ、始動入賞装置１１に相当し、遊技機は、遊技機１に相当し、不正防止装置は、不正防止装置３０、８０に相当し、磁石は、磁石７０に相当し、ストッパー片は、ストッパー片４０、８４に相当する。阻止部材は、突起部５２に相当する。
請求項２：不正防止装置は、不正防止装置３０、８０に相当し、ストッパー片は、ストッパー片４０、８４に相当し、阻止部材は、突起部５２に相当し、付勢部材は、バネ５１に相当する。
請求項３：ストッパー片は、ストッパー片９７に相当し、ピンは、固定ピン９３に相当し、磁石は、磁石７０に相当し、前ロッドは、前ロッド９２ａに相当し、後ロッドは、後ロッド９２ｂに相当し、不正防止装置は、不正防止装置９０に相当する。
【符号の説明】
【００８０】
１…遊技機、  ２…打球操作ハンドル、
３…打球誘導レール、  ４…遊技領域形成レール、
５…遊技領域、  ６…特別図柄表示装置（ＬＣＤ）、
７…大入賞装置（アタッカ）、  ８…左図柄表示部、
９…中図柄表示部、  １０…右図柄表示部、
１１…始動入賞装置（電動チューリップ）、  １２…打球供給皿、
１３…余剰球受皿、  １４ａ、１４ｂ…普通入賞装置、
１５…遊技効果ランプ、  １６…アウト口、
１７…ガラス扉枠、  １８…普通図柄表示装置（７セグＬＥＤ）、
１９…普通図柄作動ゲート、  ２０…風車、
２１…遊技盤、  ２２…外枠、
２３…内枠、  ２４…戻り球防止弁、
２５…保留ＬＥＤ、  ２６…保留ＬＥＤ、
２７…ガラス板、  ３０…不正防止装置、
３１…不正警報ランプ、  ４０…ストッパー片、
４０ａ…突出部、  ４０ｂ…移動規制部、
４１…筐体、  ４２…取付部、
４３…電線、  ４４…挿入孔、
４５…前板、  ４６…側板、
４７…天井板、  ４８…底板、
４９…後板、  ５０…係止部、
５１…バネ、  ５２…突起部、
５３…接点部材、  ５４…貫通孔、
５５…嵌合孔、  ５７…ビス、
６０…カウントセンサ、  ６１…入賞球通路、
７０…磁石、  ８０…不正防止装置、
８２…取付部、  ８４…ストッパー片、
８４ａ…突出部、  ８４ｃ…先端部、
８７…台座、  ８８…嵌合孔、
９０…不正防止装置、  ９１…先端部、
９２ａ…前ロッド、  ９２ｂ…後ロッド、
９３…固定ピン、  ９４…中空部、
９５…前板、  ９６…嵌合孔、
９７…ストッパー片、  ９８…薄板
Ｐ１…パチンコ玉
【図１】
0005712547.tif 000002
【図２】
0005712547.tif 000003
【図３】
0005712547.tif 000004
【図４】
0005712547.tif 000005
【図５】
0005712547.tif 000006
【図６】
0005712547.tif 000007
【図７】
0005712547.tif 000008
【図８】
0005712547.tif 000009
【図９】
0005712547.tif 000010
【図１０】
0005712547.tif 000011
【図１１】
0005712547.tif 000012
【図１２】
0005712547.tif 000013
【図１３】
0005712547.tif 000014
【図１４】
0005712547.tif 000015
【図１５】
0005712547.tif 000016
【図１６】
0005712547.tif 000017
【図１７】
0005712547.tif 000018
【図１８】
0005712547.tif 000019
【図１９】
0005712547.tif 000020